(57)【特許請求の範囲】
【請求項１】
入味線より上の、直筒状の胴部、又は直筒状の胴部と口部の間の上方ほど縮径する肩部の周壁内面に、周方向に亘って内面から内側に突出し、内容物の出が制限される障壁部を２個所有し、平面視における前記２個所の障壁部の間を突出のないゲート部としたことを特徴とするびん容器。
【請求項２】
前記２個所の障壁部が同じ高さで水平に形成されている請求項１に記載のびん容器。
【請求項３】
前記２個所の障壁部が異なる高さで水平に形成されている請求項１に記載のびん容器。
【請求項４】
前記２個所の障壁部が正面視ハ字状に傾斜して形成されている請求項１に記載のびん容器。
【請求項５】
前記ゲート部の平面視における幅が１０〜２０ｍｍである請求項１〜４のいずれかに記載のびん容器。
【請求項６】
前記障壁部の内面最大突出量が２〜７ｍｍである請求項１〜５のいずれかに記載のびん容器。
【発明の詳細な説明】
【技術分野】
【０００１】
本発明は、ガラス製又はプラスチック製のびん容器で、特に、内容物である錠剤などの粒状物を1個ずつ取り出し安くしたものに関する。
【背景技術】
【０００２】
有底筒状をなし、上端部が開放された口部となっており、口部に蓋を係止するねじなどの係止手段を有するびん容器は、薬・サプリメント等の錠剤や菓子などの粒状物（以下「錠剤等」という）を収納する容器として一般に使用されている。
【０００３】
錠剤等を容器から取り出そうとする場合、一度に多数の錠剤が出てきてしまい、そのつど必要ないものは容器内に戻さなくてはならず、取り出す手間が煩雑で衛生的でないという問題がある。
箱状の容器の場合、下記の特許文献１〜４に示されるように、錠剤等を１個又は数個ずつ小出ししやすいようにしたものが提案されている。
また、びん容器については、下記の特許文献５〜８に示されるように、容器の蓋又は中栓に複雑な構成を採用し、錠剤等を１個又は数個ずつ小出ししやすいようにしたものが提案されている。
しかし、びん容器自体は、吹製によって成形されるために、箱状の容器や蓋のように複雑な構成を採ることが困難であるので、びん容器自体を工夫して１個又は数個の所望の数を小出ししやすくしようとする考えは全くなかった。
【先行技術文献】
【特許文献】
【０００４】
【特許文献１】特開２００５−８１９６号公報
【特許文献２】特開２００５−１８７０７７号公報
【特許文献３】特開２００５−４７６２６号公報
【特許文献４】特開２００９−１４９３５８号公報
【特許文献５】特開平９−３１５４５５号公報
【特許文献６】特開平１１−２０８７０２号公報
【特許文献７】特開２００３−１２８１６７号公報
【特許文献８】特開２００８−２２８８４３号公報
【発明の概要】
【発明が解決しようとする課題】
【０００５】
びん容器であっても、錠剤等を１個又は数個ずつ小出ししやすくできれば、衛生的にも、取り出す手間も改善され、利用者にとって非常に便利である。また、複雑な構造のキャップや中栓はコスト高となっている。
本発明は、びん容器自体を工夫して、びん容器から錠剤等を１個又は数個ずつ小出ししやすくすることを課題とするものである。
【課題を解決するための手段】
【０００６】
本発明は、入味線より上の、直筒状の胴部、又は直筒状の胴部と口部の間の上方ほど縮径する肩部の周壁内面に、周方向に亘って内面から内側に突出し、内容物の出が制限される障壁部を２個所有し、平面視における前記２個所の障壁部の間を突出のないゲート部としたことを特徴とするびん容器である。（請求項１）
【０００７】
入味線は、垂直に立てたびん容器内に充填された内容物の最上部の高さを示す線である。
びん容器の内周面に、周方向に亘って内面から内側に突出する障壁部を形成することで、錠剤などの出が制限され、錠剤等を１個又は数個ずつ小出しにすることが容易となる。
障壁部は、入味線より上のなるべく上方に設けることが望ましいが、成形の都合上、口部内周面に設けるのは困難であるので、肩部ないし胴部最上部に設けることが望ましい。
障壁部は横長に連続する突出部によって形成してもよいし、不連続の複数の突出部を錠剤等が通過できない小さな隙間を空けて横方向に並べて形成してもよい。
びん容器を小出しにしようとする場合、びん容器を少しずつ傾けながら軽く上下に振るのであるが、障壁部がない通常のびん容器の場合は一度に多数の錠剤等が出てくる可能性が大きいけれども、障壁部があると錠剤等が一度障壁部でせき止められるので、比較的少量の錠剤等を取り出すことが容易となる。
【０００９】
ゲート部を設けると、錠剤等をびん容器から取り出すときにゲート部を通過したもののみが出てくる可能性が高くなるので、錠剤等を１個ずつ取り出せる可能性が高くなる。
【００１０】
また本発明は、前記２個所の障壁部が同じ高さで水平に形成されている請求項１に記載のびん容器である。（請求項２）
【００１１】
２個の障壁部は、具体的には、同じ高さで水平に形成することができる。
【００１２】
また本発明は、前記２個所の障壁部が異なる高さで水平に形成されている請求項１に記載のびん容器である。（請求項３）
【００１３】
２個の障壁部を、異なる高さで水平に形成することも可能である。このようにしても、同じ高さで形成した場合とほぼ同等の効果となる。
【００１４】
また本発明は、前記２個所の障壁部が正面視ハ字状に傾斜して形成されている請求項１に記載のびん容器である。（請求項４）
【００１５】
２個所の障壁部を、正面視においてハ字状となるように傾斜して形成することができる。このようにすることで、水平に形成した場合に比べて若干錠剤等の出が滑らかになる。
【００１６】
また本発明は、前記ゲート部の平面視における幅が１０〜２０ｍｍである請求項１〜４のいずれかに記載のびん容器である。（請求項５）
【００１７】
ゲート部の好適な幅は、錠剤等の大きさや形状によっても異なるが、後述の試験に用いられたような通常の大きさ・形状の錠剤等の場合、１０〜２０ｍｍが最も好適で、１個ずつ取り出せる可能性が高い。
【００１８】
また本発明は、前記障壁部の内面最大突出量が２〜７ｍｍである請求項１〜５のいずれかに記載のびん容器である。（請求項６）
【００１９】
障壁部の好適な内面突出量の最大値は、錠剤等の大きさや形状によっても異なるが、後述の試験に用いられたような通常の大きさ・形状の錠剤等の場合、２〜７ｍｍが最も好適で、１個ずつ取り出せる可能性が高い。
７ｍｍを超えると、内容物の充填時に障害となる可能性がある。
【発明の効果】
【００２０】
本発明のびん容器は、錠剤等を容器から取り出すときに、１個ないし数個の所望の数ずつ容易に小出しできるので、衛生面においても、取り出す手間においても改善され、利用者にとって非常に便利になる。
また、びん容器の構造が簡単で、容易に実施でき、複雑な構造の蓋や中栓も不要であるので安価に製造できる。
【図面の簡単な説明】
【００２１】
【図１】びん容器Ａの正面図である。
【図２】図１におけるＸ−Ｘ線断面図である。
【図３】びん容器Ｂの正面図である。
【図４】びん容器Ｃの正面図である。
【図５】びん容器Ｄの正面図である。
【図６】びん容器Ｅの正面図である。
【図７】びん容器Ｆの正面図である。
【図８】びん容器Ｇの正面図である。
【図９】びん容器Ｉの正面図である。
【図１０】びん容器Ｊの横断面図である
【図１１】錠剤取り出し試験の説明図である。
【図１２】錠剤取り出し試験結果（障壁部突出量）の説明図である。
【図１３】錠剤取り出し試験結果（ゲート部幅）の説明図である。
【発明を実施するための形態】
【実施例】
【００２２】
図１，２は、実施例のびん容器Ａに関する。なお、図１は、障壁部４の位置・形状を模式的に表示し、窪み５は省略している。
びん容器Ａは、胴部外径約５０ｍｍ、口部外径約４０ｍｍ、高さ約９０ｍｍの標準的な薬びん（ガラスびん）で、直筒状の胴部１と口部３の間が、上方ほど縮径する肩部２となっている。口部外周にはビードと蓋を螺着するためのねじが設けられている。
【００２３】
内容物である錠剤は、入味線で示す高さまで充填される。
入味線より上の周壁内面に、周方向に亘って内面から内側に突出する障壁部４が２個所形成されており、その間が突出のないゲート部６（平面視における幅：Ｗ）となっている。２個所の障壁部４の形状は相互に同じで、水平で横に長いほぼ四辺形状をなし、高さ位置も等しくなっている。
障壁部４の高さ位置は、障壁部下端がびん容器最下端から６２ｍｍとなる位置で、胴部１の最上部に位置している。
障壁部４のびん容器内面からの突出量Ｈは、障壁部全体に亘ってほぼ等しくなっている。
【００２４】
障壁部４はびん容器外周面に窪み５を形成することによって形成される。すなわち、仕上型で吹製する際に、仕上型の当該部分に凸部を設けておき、これによって外周面の窪み５が形成され、内周面には障壁部４が突出形成される。
他の方法としては、粗型によってパリソンを成形する際に、粗型に凹部を設けておくことでパリソンの当該部分に凸部を形成し、仕上型の当該部分は平滑にして仕上げ吹製すると、パリソンの外側の凸部が内側に反転し、びん容器の内周面に障壁部４が突出形成され、外周面は平滑になる。
【００２５】
〔錠剤取り出し試験〕
びん容器Ａの障壁部内周面突出量Ｈとゲート部幅Ｗを種々に替えて、種々の錠剤について錠剤取り出し試験を行った。
図１１に示すように、びんの滑性試験器７の試料台８に錠剤を２０錠入れたびん容器Ａを載せ、ハンドル９を回して徐々に試料台及びびん容器を傾斜させていき、出てきた錠剤の数を測定した。なお、びん容器は、障壁部及びゲート部が下側になるようにセットした。
後述の２５種類の試料びんのそれぞれについて、後述する５種類の錠剤の取り出し試験を１種について１０回ずつ行った。
４０°傾けても錠剤が出ない場合は0個としてその回の試験を打ち切った。
【００２６】
〔障壁部内面突出量Ｈ・ゲート部幅Ｗ〕
次のように、障壁部内面突出量Ｈ（最大値）５水準、ゲート部幅Ｗ５水準の合計２５種類の試料びんを作成した。
障壁部内面突出量Ｈ：１ｍｍ、２ｍｍ、３ｍｍ、５ｍｍ、７ｍｍ
ゲート部幅Ｗ：５ｍｍ、１０ｍｍ、１５ｍｍ、２０ｍｍ、２５ｍｍ
【００２７】
〔錠剤〕
錠剤は、次(a)〜(e)の非糖衣錠１種、糖衣錠１種、ソフトカプセル２種、およびハードカプセル１種の５種類を用いた。
(a) 直径８ｍｍ、高さ４ｍｍの短円柱形状の非糖衣錠
(b) 直径８．５ｍｍ、高さ４．７ｍｍの円盤状の糖衣錠
(c) 直径８ｍｍ、長さ１２ｍｍのラグビー球状のソフトカプセル
(d) 直径７ｍｍ、長さ１１ｍｍのラグビー球状のソフトカプセル
(e) 直径５．５ｍｍ、長さ１５．５ｍｍの俵形状のハードカプセル
【００２８】
〔錠剤取り出し試験結果〕
錠剤取り出し試験結果をまとめたものを図１２，１３に示す。
この試験結果は、障壁部内面突出量Ｈ５水準×ゲート部幅Ｗ５水準の合計２５種類の試料びんのそれぞれについて、前記(a)〜(e)の５種類の錠剤の取り出し試験を１０回ずつ行った集計結果である。
【００２９】
図１２は、びん容器の障壁部内面突出量Ｈ：１ｍｍ〜７ｍｍの各水準ごとに、出てきた錠剤の個数の平均を「排出個数（個）」として示している。「コントロール」は障壁部を全く形成しない同形のびん容器（従来品）の試験結果である。
「排出個数」が少ないほど、錠剤の小出しが容易であると評価できる。
障壁部内面突出量Ｈ：１ｍｍ〜７ｍｍのいずれも、コントロールに比べて排出個数が少なく、障壁部の効果は明らかである。
また、障壁部内面突出量Ｈが大きいほど効果が大きくなる。
【００３０】
図１３は、  ゲート部幅Ｗ：５ｍｍ〜２５ｍｍの各水準ごとに、出てきた錠剤の個数の平均を「排出個数（個）」として示している。
いずれの実施例もコントロールに比べて排出個数が少なく、障壁部及びゲート部の効果は明らかである。
Ｗ＝５ｍｍの場合が最も排出個数が少なくなっているが、これは４０°傾けても１個も出てこなかった（排出個数０）の回数が多かったためで、実質的にはＷ＝１５ｍｍを中心にＷ＝１０〜２０ｍｍが最も好適であるといえる。
【００３１】
上記の錠剤取り出し試験は、錠剤を容器から小出しする容易性をなるべく客観的に評価するために行ったものであるが、人間の使用感においても、明らかに、コントロールに比べて実施例の容器の方が、１錠〜数錠の所望の数の錠剤を容易に取り出すことができる。
【００３２】
図３〜図９は、障壁部４の種々のパターンを例示したものである。これらの図においては、障壁部４の位置・形状を模式的に表示し、外周面の窪みは省略している。
【００３３】
図３のびん容器Ｂは、２個所の障壁部４が異なる高さで水平に形成されている例である。
この実施例も、前記のびん容器Ａとほぼ同等の効果を発揮する。
【００３４】
図４のびん容器Ｃは、２個所の障壁部４が正面視ハ字状に傾斜して形成されている例である。
この実施例も、前記のびん容器Ａとほぼ同等の効果を有し、錠剤の出方は若干滑らかである。
【００３５】
図５のびん容器Ｄは、前記びん容器Ａと同じ２個の障壁部４を２段に設けたものである。
この実施例も、前記のびん容器Ａとほぼ同等の効果を発揮する。
【００３６】
図６のびん容器Ｅは、２個所の障壁部４を三角形状に形成した例である。
このように、障壁部の形状は特に限定されるものでなく、周方向に亘って突出形成されていれば、内容物（錠剤）の出が制限されて、本発明の作用効果が発揮される。
【００３７】
図７のびん容器Ｆは、障壁部４が不連続の突出部によって形成されている例である。
このように、障壁部は必ずしも連続して突出形成されている必要はなく、各突出部の間隔が、隙間から錠剤が出てこない程度であれば、連続して突出形成されている場合と同様の作用効果を発揮する。
【００３８】
図８のびん容器Ｇは、２個の障壁部４が弧状に形成されている例である。
【００３９】
図９のびん容器Ｉは、水平で横に長いほぼ四辺形状の障壁部４が１個形成されている例である。
これは、前記びん容器Ａのゲート部幅Ｗ＝０に相当し、前記錠剤取り出し試験のＷが５ｍｍの場合の試験結果に近似したものとなり、コントロールに比べれば明らかな作用効果を有する。
【００４０】
図１０のびん容器Ｊは、障壁部４の頂部が平面視で直線状に形成されている例である。この場合、障壁部内面突出量Ｈは障壁部の各位置によって変化する。このように、障壁部内面突出量Ｈが一定でないものでも、障壁部によって錠剤の出が制限されるので、１錠ないし数錠の所望の数の錠剤の小出しが容易になる。
【符号の説明】
【００４１】
Ａ、Ｂ、Ｃ、Ｄ、Ｅ、Ｆ、Ｇ、Ｉ、Ｊ  びん容器
１  胴部
２  肩部
３  口部
４  障壁部
５  窪み
６  ゲート部
７  滑性試験機
８  試料台
９  ハンドル
１０  錠剤
【図１】
0005417608.tif 000002
【図２】
0005417608.tif 000003
【図３】
0005417608.tif 000004
【図４】
0005417608.tif 000005
【図５】
0005417608.tif 000006
【図６】
0005417608.tif 000007
【図７】
0005417608.tif 000008
【図８】
0005417608.tif 000009
【図９】
0005417608.tif 000010
【図１０】
0005417608.tif 000011
【図１１】
0005417608.tif 000012
【図１２】
0005417608.tif 000013
【図１３】
0005417608.tif 000014